(57)【要約】  土台（３）と、第１の部分（７）と、第２の部分（９）と、を備える家具装置（１）。第２の部分は、第１の方向と第２の方向との間で枢動されるように適合される。この装置は、枢動アーム（１２ａ）を有する枢動部材（１０）と、枢動アーム（１２ａ）の土台（３）に対する第１の回転（Ｒ１）を可能にするように適合される第１の枢動軸（２０）と、第１の回転を誘導するように適合される枢動機構（２５）と、を備える。枢動アームは、細長い第１のアーム（３０）と、細長い第２のアーム（３２）と、第１のアームに対する第２のアームの第２の回転（Ｒ２）を可能にするように適合される第２の枢動軸（４０）と、を備える。枢動機構は、枢動アームの外側部分（２２）に作用するように適合され、この外側部分は、第１の枢動軸からの方が、第２の枢動軸からより遠い距離に位置する。【選択図】図１ｂ
2013545551.tif 000002
【特許請求の範囲】
【請求項１】
家具装置（１）であって、
地面に接続した土台（３）と、
前記土台（３）の上の支持部材（５）であって、第１の平面（Ｐ１）と平行な第１の表面（Ｓ１）を有する第１の部分（７）と、第２の表面（Ｓ２）を有する第２の部分（９）とを備え、前記第２の部分（９）は、第１の方向と第２の方向との間で枢動されるように適合され、前記第２の表面（Ｓ２）は、前記第１の方向において前記第１の平面（Ｐ１）と平行であり、かつ前記第２の方向において前記第１の平面（Ｐ１）と平行ではない、支持部材（５）と、
前記第２の部分（９）を前記第１の方向と前記第２の方向との間で枢動するように適合される枢動部材（１０）であって、第１の端部（１４）および第２の端部（１６）をともなう少なくとも１つの枢動アーム（１２ａ）と、前記枢動アーム（１２ａ）の前記第２の端部（１６）が前記第２の部分（９）に作用するように、前記枢動アーム（１２ａ）の前記土台（３）に対する第１の回転（Ｒ１）を可能にするように適合される、前記枢動アーム（１２ａ）の前記第１の端部（１４）と前記土台（３）との間の第１の枢動軸（２０）と、前記第１の回転（Ｒ１）を誘導するように適合される枢動機構（２５）と、を備える枢動部材（１０）と、を備える家具装置において、
前記枢動アーム（１２ａ）は、細長い第１のアーム（３０）および細長い第２のアーム（３２）を備え、前記第１のアーム（３０）は、前記第１の枢動軸（２０）に前記第２のアーム（３２）より近く、前記第１のアーム（３０）と前記第２のアーム（３２）との間の第２の枢動軸（４０）は、前記第１のアーム（３０）に対する前記第２のアーム（３２）の第２の回転（Ｒ２）を可能にするように適合され、前記枢動機構（２５）は、前記枢動アーム（１２ａ）の外側部分（２２）に作用するように適合され、この外側部分（２２）は、前記第１の枢動軸（２０）からの方が前記第２の枢動軸（４０）からより遠くに位置し、結果として前記第２の回転（Ｒ２）は、前記第１の回転（Ｒ１）の前に開始されることを特徴とする、家具装置。
【請求項２】
請求項１に記載の家具装置（１）において、前記細長い第１のアーム（３０）が、第１の長手方向軸（Ｌ１）に沿って延在し、前記細長い第２のアーム（３２）が、第２の長手方向軸（Ｌ２）に沿って延在し、前記第２の部分（９）が、前記第１の方向から離れるように枢動されるとき、前記第１の回転（Ｒ１）が前記第２の回転（Ｒ２）に続き、前記第２の回転（Ｒ２）が、前記第２の長手方向軸（Ｌ２）が前記第１の長手方向軸（Ｌ２）と平行である、または前記第１の長手方向軸（Ｌ１）に対して最高で第１の角度（Ｃ１）まで配向されるときに開始されるように適合され、かつ前記第１の回転（Ｒ１）が、前記第２の長手方向軸（Ｌ２）が前記第１の長手方向軸（Ｌ１）に対して第２の角度（Ｃ２）に配向されるときに開始されるように適合され、前記第２の角度（Ｃ２）が、前記第１の角度（Ｃ１）より大きいことを特徴とする、家具装置。
【請求項３】
請求項２に記載の家具装置（１）において、前記第２の回転（Ｒ２）を、前記第２の長手方向軸（Ｌ２）と前記第１の長手方向軸（Ｌ１）との間の第１の傾き（Ｂ１）で停止するように適合される前記第２のアーム（３２）が、第１の停止部材（７０）を備えることを特徴とする、家具装置。
【請求項４】
請求項３に記載の家具装置（１）において、前記第１の停止部材（７０）が、前記第２のアーム（３２）の前記第２の長手方向軸（Ｌ２）から、離れるように突出し、前記第１の停止部材（７０）が、前記第２の長手方向軸（Ｌ２）と前記第１の長手方向軸（Ｌ１）との間の前記第１の傾き（Ｂ１）で、前記第１のアーム（３０）に当接するように適合される第１の側面部（７１）を備えることを特徴とする、家具装置。
【請求項５】
請求項１乃至４の何れか１項に記載の家具装置（１）において、前記枢動アーム（１２ａ）が、細長い第３のアーム（３４）を備え、前記第２のアーム（３２）が、前記第３のアーム（３４）よりも前記第１の枢動軸（２０）に近く、前記第２のアーム（３２）と前記第３のアーム（３４）との間の第３の枢動軸（４２）は、前記第１のアーム（３０）に対して前記第２のアーム（３２）の第３の回転（Ｒ３）を可能にするように適合され、前記枢動機構（２５）は、前記枢動アーム（１２ａ）の前記外側部分（２２）に作用するように適合され、この外側部分（２２）は、前記第１の枢動軸（２０）からの方が、前記第３の枢動軸（４２）からよりも遠い距離に位置し、これにより、前記枢動機構（２５）は、前記第３の回転（Ｒ３）を誘導することを特徴とする、家具装置。
【請求項６】
請求項５に記載の家具装置（１）において、前記細長い第３のアーム（３４）が、第３の長手方向軸（Ｌ３）に沿って延在し、前記第２の部分（９）が前記第１の方向から離れるように枢動されるとき、前記第２の回転（Ｒ２）が前記第３の回転（Ｒ３）に続き、前記第３の長手方向軸（Ｌ３）が前記第２の長手方向軸（Ｌ２）と平行、または前記第２の長手方向軸（Ｌ２）に対して最高で第３の角度（Ｃ３）まで配向されるとき、前記第３の回転（Ｒ３）が開始されるように適合され、前記第３の長手方向軸（Ｌ３）が前記第２の長手方向軸（Ｌ２）に対して第４の角度（Ｃ４）で配向されるとき、前記第２の回転（Ｒ２）が開始されるように適合され、前記第４の角度（Ｃ４）が前記第３の角度（Ｃ３）より大きいことを特徴とする、家具装置。
【請求項７】
請求項６に記載の家具装置（１）において、前記第３のアーム（３４）が、前記第３の回転（Ｒ３）を、前記第３の長手方向軸（Ｌ３）と前記第２の長手方向軸（Ｌ２）との間の第２の傾き（Ｂ２）で停止するように適合される第２の停止部材（７２）を備えることを特徴とする、家具装置。
【請求項８】
請求項７に記載の家具装置（１）において、前記第２の停止部材（７２）が前記第３のアーム（３４）の前記第３の長手方向軸（Ｌ３）から離れるように突出し、前記第２の停止部材（７２）が、前記第３の長手方向軸（Ｌ３）と前記第２の長手方向軸（Ｌ２）との間の前記第２の傾き（Ｂ２）で、前記第２のアーム（３２）に当接するように適合される第２の側面部（７３）を備えることを特徴とする、家具装置。
【請求項９】
請求項５乃至８の何れか１項に記載の家具装置（１）において、前記枢動機構（２５）が、前記第１の方向から、前記枢動アーム（１２ａ）に作用し、これにより前記第３の回転（Ｒ３）が誘導されるように適合され、この第３の回転（Ｒ３）が、前記第２の部分（９）を前記第１の方向から前記第２の方向まで回転することを特徴とする、家具装置。
【請求項１０】
請求項１乃至９の何れか１項に記載の家具装置（１）において、前記枢動機構（２５）が、前記第２の方向から、前記枢動アーム（１２ａ）に作用し、これにより前記第２の回転（Ｒ２）が誘導されるように適合され、この第２の回転（Ｒ２）が前記第２の部分（９）を前記第２の方向から第３の方向まで回転し、前記第２の方向において、前記第２の部分（９）が前記第１の平面（Ｐ１）に対して第１の角度（Ａ１）で傾き、前記第３の方向において、前記第２の部分（９）が前記第１の平面（Ｐ１）に対して第２の角度（Ａ２）で傾き、前記第２の角度（Ａ２）が前記第１の角度（Ａ１）より大きいことを特徴とする、家具装置。
【請求項１１】
請求項１０に記載の家具装置（１）において、前記枢動機構（２５）は、前記第３の方向から、前記枢動アーム（１２ａ）に作用し、これにより前記第１の回転（Ｒ１）が前記第２の部分（９）を第４の角度まで回転するように適合され、前記第４の方向が前記第１の平面（Ｐ１）に対して第３の角度（Ａ３）で傾き、前記第３の角度（Ａ３）が、前記第２の角度（Ａ２）より大きいことを特徴とする家具装置。
【請求項１２】
請求項１乃至１１の何れか１項に記載の家具装置（１）において、前記枢動機構（２５）は、前記第２の部分（９）に取り付けられたモータユニット（２７）を備え、前記モータユニット（２７）は、前記第１の方向から前記第２の方向まで前記第２の部分（９）が枢動されるとき、前記枢動アーム（１２ａ）を前記モータユニット（２７）に向かって引き、前記モータユニット（２７）は、前記第２の部分（９）が前記第２の方向から前記第１の方向まで枢動されるとき、前記枢動アーム（１２ａ）を前記モータユニット（２７）から離れるように押すことを特徴とする、家具装置。
【請求項１３】
請求項１乃至１２の何れか１項に記載の家具装置（１）において、前記装置（１）は、さらなる枢動アーム（１２ｂ）を備え、枢動アーム（１２ａ、１２ｂ）の各々は、前記第１の枢動軸（２０）により前記土台（３）の対向する側に接続され、接続要素（６０）は、前記２つの枢動アーム（１２ａ、１２ｂ）をともに接続し、前記接続要素（６０）は、前記第２の部分（９）に作用するように適合されることを特徴とする、家具装置。
【請求項１４】
請求項１３に記載の家具装置（１）において、前記第２の部分（９）は、前記土台（３）に向かって突出するガイド部材（６２）を備え、前記接続要素（６０）は、前記ガイド部材（６２）上を滑動するように適合されることを特徴とする、家具装置。
【請求項１５】
請求項１乃至１４の何れか１項に記載の家具装置（１）において、前記家具装置（１）が、リンクアーム（１１）を備え、前記リンクアーム（１１）が、前記リンクアーム（１１）と前記枢動アーム（１２ａ）の前記外側部分（２２）との間の第４の枢動軸から前記リンクアーム（１１）と前記第２の部分（９）との間の第５の枢動軸まで延在することを特徴とする、家具装置。
【発明の詳細な説明】
【技術分野】
【０００１】
本発明は、地面に接続する土台と、土台上の支持部材と、を備える家具装置に関する。支持部材は、第１の平面と平行な第１の表面を有する第１の部分と、第２の表面を有する第２の部分と、を備える。第２の部分は、第１の方向と第２の方向との間で枢動されるように適合される。第２の表面は、第１の方向では第１の平面と平行であり、かつ第２の方向では第１の平面と平行でない。家具装置は、第１の方向と第２の方向との間で第２の部分を枢動するように適合される枢動部材を更に備える。枢動部材は、第１の端部および第２の端部をともなう少なくとも１つの枢動アームを備え、枢動アームの第１の端部と土台との間の第１の枢動軸は、土台とに対する枢動アームの第１の回転を可能にするように適合され、これにより枢動アームの第２の端部は、第２の部分に作用して、枢動機構は第１の回転を誘導するように適合される。
【背景技術】
【０００２】
ベッド、肘掛け椅子、または他の同様な装置などの家具装置は、人間の重量または重量の部分を受け、かつ人間の体からの重量を装置の表面の部分にわたって分散するように適合される。家具装置は、少なくとも第１の部分および第２の部分を備える。装置の第２の部分は、枢動部材により、第１の部分に対して異なる方向に枢動されるように適合される。第１の方向では、家具装置は、第２の部分の表面に平行な第１の部分の表面を有するように適合され、第１の部分および第２の部分はともに、横たわるため使用することができる大きな平らな領域を提供する。第２の部分は、第１の部分に対するある傾きへと枢動するように適合され、第２の表面は第１の表面と平行ではない。かかる平行ではない方向で、第２の部分は、例えば、人間が座る位置にあるときに、人間の背中を支えるために使用される。
【０００３】
先行技術の枢動機構は、電動モータなどのモータユニットを備え、これは回転を誘導するために、枢動アーム上の突出部に作用する。これにより、突出部は大きな力を受け、突出部および枢動アームは電気モータからの力に耐えるために強固な構造を必要とする。強固な構造の要件は、枢動アームの重量および材料費を増加する。先行技術の装置の別の問題は、装置の可能な回転が制限されることである。第２の部分は、第１の部分に対して最高９０度までは傾けることができない。先行技術の装置のさらなる問題は、モータユニットが装置の土台の下にスペースを要することである。これにより、このスペースは、収納のために使用することができず、かつ土台の下の掃除は困難である。
【０００４】
国際公開第２００５／１２２８４１号パンフレットは、第１の部分に対して第２の部分を枢動するための装置を開示する。この装置は、土台と、枢動部材とを備える。枢動部材は、枢動アーム（図３、参照番号１１、１２ａ、１２ｂを参照のこと）と、枢動アームと土台との間の第１の枢動軸と、枢動アームの回転を誘導するように適合される枢動機構とを備える。枢動機構は、枢動アームの上の突出部（図３の参照番号１３を参照のこと）上で電気モータにより作用し、第２の部分が枢動される。装置は、上記の問題および欠点を有する。
【発明の概要】
【０００５】
本発明の目的は、改善された家具装置である。本発明の第１の目的は、先行技術と比較してより強固でない枢動アームを要する装置である。本発明の第２の目的は、第２の部分を先行技術と比較してより大きい傾きまで枢動することを可能にする装置である。本発明の第３の目的は、枢動機構が土台の下に先行技術と比較してより小さいスペースを必要とする装置である。
【０００６】
これらの目的は、最初に定義したように、細長い第１のアームおよび細長い第２のアームを備え、第１のアームが第２のアームよりも第１の枢動軸に近い枢動アームと、第１のアームに対する第２のアームの第２の回転を可能にするように適合され、枢動機構が枢動アームの外側部分に作用するように適合され、この外側部分が第１の枢動軸からは、第２の枢動軸からより遠くに位置する、第１のアームと第２のアームとの間の第２の枢動軸と、を特徴とする家具装置により達成される。
【０００７】
枢動アームは、第１のアームおよび第２のアームを備え、この第１のアームおよび第２のアームは、第２の枢動軸により相互に対して回転するように適合される。枢動機構は、枢動アームの外側部分に作用し、結果として第１の回転の前に第２の回転が開始されるように適合される。したがって、枢動アームは、枢動機構が土台の下にスペースを必要としない位置に、枢動機構が位置することを可能にする。
【０００８】
枢動アームは、先行技術による突出部に圧力をかけることなく枢動されるように適合される。したがって枢動アームは、先行技術の装置におけるものより強固でない構造で作成されてもよい。これにより、枢動アームの材料費が低減する。さらに、装置の重量が減少する。
【０００９】
本発明の一実施形態によると、細長い第１のアームは、第１の長手方向軸に沿って延在し、細長い第２のアームは、第２の長手方向軸に沿って延在し、第２の部分が第１の方向から離れるように枢動するとき、第１の回転は、第２の回転に続き、第２の回転は、第２の長手方向軸が第１の長手方向軸と平行なとき、または第１の長手方向軸に対して最高で第１の角度まで配向されるとき、開始されるように適合され、第１の回転は、第２の長手方向軸が第１の長手方向軸に対して第２の角度で配向されるとき開始されるように適合され、第２の角度は、第１の角度より大きい。
【００１０】
本発明の一実施形態によると、第２の長手方向軸と第１の長手方向軸との間の第１の角度は、１５度未満であり、好ましくは５度未満である。
【００１１】
本発明の一実施形態によると、第２の長手方向軸と第１の長手方向軸との間の第２の角度は、７５度未満であり、好ましくは５０度未満である。
【００１２】
本発明の一実施形態によると、第２のアームは、第２の長手方向軸と第１の長手方向軸との間の第１の傾きで第２の回転を停止するように適合される第１の停止部材を備える。
【００１３】
第１の停止部材は、第２の回転が、第２の長手方向軸と第１の長手方向軸との間の第１の傾きを越えないように、第２の回転を制限する。第２の回転が停止した後、第１の回転が開始されてもよい。
【００１４】
本発明の一実施形態によると、第１の傾きは、３５度〜５５度の間であり、好ましくは４０度〜５０度の間である。
【００１５】
本発明の一実施形態によると、第１の停止部材は、第２のアームの第２の長手方向軸から離れるように突出し、第１の停止部材は、第１のアームに第２の長手方向軸と第１の長手方向軸との間の第１の傾きで当接するように適合される第１の側面部を備える。
【００１６】
第１の停止部材の第１の側面部が第１のアームに当接すると、第２のアームは、第１のアームに向かってさらに回転することから制限される。したがって、第１の停止部材は、第２の長手方向軸と第１の長手方向軸との間の第１の傾きを設定する。
【００１７】
本発明の一実施形態によると、枢動アームは、細長い第３のアームを備え、第２のアームは、第３のアームより第１の枢動軸に近く、第２のアームと第３のアームとの間の第３の枢動軸は、第１のアームに関する第２のアームの第３の回転を可能にするように適合され、枢動機構は枢動アームの外側部分に作用するように適合され、この外側部分は、第１の枢動軸から第３の枢動軸より遠くに位置し、これにより枢動機構が第３の回転を誘導する。
【００１８】
枢動アームは、第２のアームおよび第３のアームを備え、この第２のアームおよび第３のアームは、第３の枢動軸により互いに対して回転するように適合される。枢動機構は、枢動アームの外側部分に作用するように適合され、結果として、そこで第１の回転および第２の回転の前に第３の回転が開始される。
【００１９】
本発明の一実施形態によると、細長い第３のアームは、第３の長手方向軸に沿って延在し、第２の部分が第１の方向から離れるように枢動すると、第２の回転が第３の回転に続き、第３の長手方向軸が第２の長手方向軸と平行、または第２の長手方向軸に対して最高で第３の角度まで配向されたとき第３の回転が開始されるように適合され、第３の長手方向軸が第２の長手方向軸に対して第４の角度に配向されるとき、第２の回転が開始するように適合され、第４の角度は、第３の角度より大きい。
【００２０】
本発明の一実施形態によると、第３の長手方向軸と第２の長手方向軸との間の第３の角度は、１５度未満であり、好ましくは５度未満である。
【００２１】
本発明の一実施形態によると、第３の長手方向軸と第２の長手方向軸との間の第４の角度は７５度未満であり、好ましくは５０度未満である。
【００２２】
本発明の一実施形態によると、第３のアームは、第３の回転を、第３の長手方向軸と第２の長手方向軸との間の第２の傾きで停止するように適合された第２の停止部材を備える。
【００２３】
本発明の一実施形態によると、第２の傾きは、３５度〜５５度との間であり、好ましくは４０度〜５０度との間である。
【００２４】
本発明の一実施形態によると、第２の停止部材は、第３のアームの第３の長手方向軸から離れるように突出し、第２の停止部材は、第３の長手方向軸と第２の長手方向軸との間の第２の傾きで第２のアームに当接するように適合される第２の側面部を備える。
【００２５】
第２の停止部材は第３の回転を制限し、これにより第３の回転が第３の長手方向軸と第２の長手方向軸との間の第２の傾きを越えない。第３の回転が停止した後、第２の回転が開始されてもよい。
【００２６】
本発明の一実施形態によると、枢動機構は、第１の方向から、枢動アームに作用するように適合され、これにより第３の回転が誘導され、この第３の回転が第２の部分を第１の方向から第２の方向へ回転する。
【００２７】
本発明の一実施形態によると、枢動機構は、第２の方向から、枢動アームに作用し、これにより第２の回転が誘導され、この第２の回転が第２の部分を第２の方向から第３の方向へ回転し、第２の方向で、第２の部分が第１の平面に対して第１の角度で傾き、第３の方向で、第２の部分が第１の平面に対して第２の角度で傾けられるように適合され、第２の角度は第１の角度より大きい。
【００２８】
本発明の一実施形態によると、枢動機構は、第３の方向から、枢動アームに作用するように適合され、これにより第１の回転は第２の部分を第４の方向へと回転し、第４の方向は、第１の平面に対して第３の角度で傾き、第３の角度は、第２の角度より大きい。
【００２９】
本発明の一実施形態によると、枢動機構は、第２の部分に取り付けられたモータユニットを備え、モータユニットは、第２の部分が第１の方向から第２の方向へ枢動されるとき、枢動アームをモータユニットに向かって引き、モータユニットは、第２の部分が第２の方向から第１の方向へ枢動する時、枢動アームをモータユニットから離れるように押す。
【００３０】
本発明の一実施形態によると、装置は、各々の枢動アームが第１の枢動軸により土台の対向する側に接続される、さらなる枢動アームと、２つの枢動アームをともに接続する接続要素とを備え、接続要素は、第２の部分に作用するように適合される。
【００３１】
本発明の一実施形態によると、家具装置は、リンクアームと枢動アームの外側部分との間の第４の枢動軸から、リンクアームと第２の部分との間の第５の枢動軸へ延在する、リンクアームを備える。
【００３２】
リンクアームは、第２の部分が枢動部材によって提供される枢動運動から独立して枢動することができるように適合される。リンクアームによって、第２の部分と土台との間に人が挟まれないことが保証される。
【００３３】
本発明の一実施形態によると、第５の枢動軸は、リンクアームと接続要素との間にある。
【００３４】
本発明の一実施形態によると、第２の部分は、土台に向かって突出するガイド部材を備え、接続要素は、ガイド部材の上で滑動するように適合される。ガイド部材は、枢動アームが回転すると、第２の部分の傾きに対する応答を制御するように適合される。
【００３５】
本発明の一実施形態によると、ガイド部材は、内側部分および外側部分を備え、この内側部分は、外側部分よりもモータユニットの近くに位置し、外側部分は、第２の部分から、内側部分よりも遠くに突出する。
【００３６】
本発明の一実施形態によると、ガイド部材は、楔型である。
【００３７】
本発明の一実施形態によると、家具装置は、土台に配設された第１の支持を備え、第１の支持は、第２の部分が第１の方向にあるとき、枢動アームの第１のアームを支持するように適合される。本発明の一実施形態によると、第２の部分が、第１の方向、第２の方向、および第３の方向にあるとき、第１の支持は、第１のアームを支持するように適合される。
【００３８】
本発明の一実施形態によると、家具装置は、土台に配設された第２の支持を備え、第２の支持は、第２の部分が第１の方向にあるとき、枢動アームの第２のアームを支持するように適合される。本発明の一実施形態によると、第２の部分が、第１の方向、および第２の方向にあるとき、第２の支持は、第２のアームを支持するように適合される。
【００３９】
本発明の一実施形態によると、家具装置は、家具装置の２つの対向する側面に沿って延在するように配設される、２つの枢動アームを備える。
【００４０】
ここで、本発明は、本発明の異なる実施形態の記述により、および添付の図面を参照して、より詳細に説明される。
【図面の簡単な説明】
【００４１】
【図１ａ】図１ａは、家具装置の概略外観図を示す。
【図１ｂ】図１ｂは、本発明の実施形態による家具装置の第２の部分での枢動機構を示す。
【図２】図２のａ〜ｃは、本発明の実施形態による枢動アームを示す。
【図２ａ】図２ａは、装置が第１の方向にあるときの枢動アームを示す。
【図２ｂ】図２ｂは、装置が第３の方向にあるときの図２ａの枢動アームを示す。
【図２ｃ】図２ｃは、接続部材によって接続された２つの枢動アームの上面図を示す。
【図３】図３は、第１の方向にある、図１の家具装置の側面図を示す。
【図４】図４は、第２の方向にある、図１の家具装置の側面図を示す。
【図５】図５は、第３の方向にある、図１の家具装置の側面図を示す。
【図６】図６は、第４の方向にある、図１の家具装置の側面図を示す。
【発明を実施するための形態】
【００４２】
ここで、家具装置１は、図１〜図６を参照して記述される。家具装置１は、地面と接続する土台３と、人間の重量を支持するように適合される支持部材５を備える。支持部材５は、例えば、マットレス、クッション、等々である。支持部材５は、マットレス、クッション、等々に対するサポートであってもよい。
【００４３】
支持部材５は、第１の部分７、および第２の部分９を備える。第１の部分７は、第１の平面Ｐ１と平行な第１の表面Ｓ１を備える。第２の部分９は、第２の表面Ｓ２を備える。
【００４４】
家具装置１は、第２の部分９を第１の方向と、第２の方向と、第３の方向と、第４の方向と、の間で枢動するように適合される枢動部材１０をさらに備える。枢動部材が、第２の部分を第１の方向から、または第１の方向へ、そして引き続いて第２の方向、第３の方向、および第４の方向へ、またはそれらから枢動するように適合されることを理解するべきである。
【００４５】
第１の方向では、第２の表面Ｓ２は、第１の平面Ｐ１と平行である。これにより、支持部材５は、第１の部分７および第２の部分９により、大きな平らな表面を提供する（図１ａおよび図３を参照のこと）。
【００４６】
第２の方向では、第２の表面Ｓ２は、第１の平面Ｐ１とは平行でなく、第２の表面Ｓ２は、第１の平面Ｐ１に対して第１の角度Ａ１で傾く（図４を参照のこと）。
【００４７】
第３の方向では、第２の表面Ｓ２は、第１の平面Ｐ１に対して第２の角度Ａ２で傾き、この第２の角度Ａ２は、第１の角度Ａ１より大きい（図５を参照のこと）。
【００４８】
第４の方向では、第２の表面Ｓ２は、第１の平面Ｐ１に対して第３の角度Ａ３で傾き、この第３の角度Ａ３は、第２の角度Ａ２より大きい（図６を参照のこと）。
【００４９】
ここで、家具装置１は、図１ａ〜図１ｂを参照して説明される。枢動部材１０は、枢動アーム１２ａおよびさらなる枢動アーム１２ｂを備える。この２つの枢動アーム１２ａ、１２ｂは、２つの対向する向きの家具装置１の側面に基本的に平行に延在するように配設される。２つの枢動アーム１２ａ、１２ｂは、基本的に同一の構造設計を有する。
【００５０】
家具装置１は、枢動アーム１２ａ、１２ｂの各々に対して第１の支持１３ａおよび第２の支持１３ｂをさらに備える。第１の支持１３ａおよび第２の支持１３ｂは、土台３から突出する。第１の支持１３ａおよび第２の支持１３ｂは、家具装置を枢動する間、および静止位置にある間、枢動アーム１２ａ、１２ｂを支持するように適合される。
【００５１】
枢動アーム１２ａ、１２ｂの各々は、第１の端部１４および第２の端部１６を備える。枢動部材１０は、第１の枢動軸２０をさらに備え、この第１の枢動軸２０は、枢動アーム１２ａおよびさらなる枢動アーム１２ｂ各々の第１の端部１４を土台３へ接続する。第１の枢動軸２０は、土台３に対する、枢動アーム１２ａ、１２ｂの第１の回転Ｒ１を可能にするように適合される。
【００５２】
枢動アーム１２ａおよびさらなる枢動アーム１２ｂの各々は、細長い第１のアーム３０、細長い第２のアーム３２、および細長い第３のアーム３４を備える。第１のアーム３０は、第２のアーム３２よりも第１の枢動軸２０に近い。
【００５３】
第１のアーム３０および第２のアーム３２は、第２の枢動軸４０により接続され、この第２の枢動軸４０は、第２のアーム３２の第１のアーム３０に対する第２の回転Ｒ２を可能にするように適合される。
【００５４】
枢動アーム１２ａおよびさらなる枢動アーム１２ｂの各々は第３の枢動軸４２を備え、この第３の枢動軸４２は、第３のアーム３４を第２のアーム３２に接続するように適合される。第３の枢動軸４２は、第３のアーム３４の第２のアーム３２に対する第３の回転Ｒ３を可能にするように適合される。
【００５５】
第１のアーム３０は、第１の支持１３ａによって支持されるように適合される。第２のアーム３２は第２の支持１３ｂによって支持されるように適合される。
【００５６】
枢動部材１０は、接続要素６０をさらに備える。枢動アーム１２ａおよびさらなる枢動アーム１２ｂの第２の端部１６は、接続要素６０により接続される。
【００５７】
枢動部材１０は、２つのガイド部材６２をさらに備える。ガイド部材６２の各々は、第２の部分９の下面６３に取り付けられた楔型の部材を備え、この下面は装置１が第１の方向に配向されるとき土台３の方に向けられる。ガイド部材６２は、内側部分６７および外側部分６８を備える。内側部分６７は、モータユニット２７に外側部分６８より近くに位置する。
【００５８】
さらに、家具装置１は、リンクアーム１１を備える。リンクアーム１１は、リンクアーム１１と枢動アーム１２ａの外側部分２２との間の第４の枢動軸１５から、リンクアーム１１と第２の部分９との間の第５の枢動軸１７まで延在する。
【００５９】
第４の枢動軸１５および第５の枢動軸１７により、第２の部分９は、枢動部材１０によって提供される枢動運動とは独立して枢動されるように適合される。リンクアーム１１により、第２の部分９と土台３との間に人が挟まれないことが保証される。第２の部分９と土台３との間に位置する人は、第２の部分９の重量を受けるのみであろう。これにより、第２の部分９と土台３との間に人が挟まれるのを避けるためのセンサーは必要ない。
【００６０】
接続要素６０は、ガイド部材６２上を滑動するように適合され、ガイド部材６２は第１の部分７に対する第２の部分９の枢動運動を案内する。
【００６１】
枢動部材１０は、枢動機構２５をさらに備え、この枢動機構２５は、第１の回転Ｒ１、第２の回転Ｒ２、および第３の回転Ｒ３を誘導するように適合される。枢動機構２５は、電気モータなどのモータユニット２７を備える。モータユニット２７は、第２の部分９の下面６３に取り付けられる。第２の部分９の下面６３は、装置１が第１の方向に配向されたとき、土台３の方を向く。
【００６２】
モータユニット２７は、枢動アーム１２ａ、１２ｂの外側部分２２に作用するように適合され、これにより第１の部分７に対して第２の部分９が枢動する。外側部分２２は、枢動アーム１２ａ、１２ｂの第２の端部１６に位置する。
【００６３】
開示された実施形態では、枢動機構２５は、接続要素６０に作用するように適合され、この接続要素６０は、第３のアーム３４に接続される。枢動機構２５は、外側部分２２をモータユニット２７に向かって、またはモータユニット２７から離れるように、引くまたは押すように適合される。
【００６４】
接続要素６０は、ネジ、ガイドレール、等々などの変位部材６６に接続されるように適合される溝６４を備える。変位部材は、モータユニット２７によって動力を受け、接続要素６０は、モータユニット２７に向かって、またはモータユニット２７から離れるように変位する。
【００６５】
図２ａ〜図２ｃは、枢動アーム１２ａ、さらなる枢動アーム１２ｂ、および接続要素６０の異なる図を提示する。第１のアーム３０は、第１の長手方向軸Ｌ１に沿って延在する。
【００６６】
第２のアーム３２は、第２の長手方向軸Ｌ２に沿って延在する。第２の回転Ｒ２は、第２の長手方向軸Ｌ２が基本的に第１の長手方向軸Ｌ１と平行である、または第１の長手方向軸Ｌ１に対して最高でも第１の角度Ｃ１まで配向されるとき、開始されるように適合される（図４および図５を参照のこと）。
【００６７】
第１の回転Ｒ１は、第２の長手方向軸Ｌ２が第１の長手方向軸Ｌ１に対して第２の角度Ｃ２で配向されるとき、開始されるように適合される（図５および図６を参照のこと）。第２の角度Ｃ２は、第１の角度Ｃ１より大きい。
【００６８】
第２のアーム３２は、第１の停止部材７０を備え、この第１の停止部材７０は、第２の回転Ｒ２を、第２の長手方向軸Ｌ２と第１の長手方向軸Ｌ１との間で第１の傾きＢ１で停止するように適合される。第１の停止部材７０は、第２のアーム３２の第２の長手方向軸Ｌ２から離れるように突出する。第１の停止部材７０は、第１の側面部７１を備え、この第１の側面部７１は、第２の長手方向軸Ｌ２と第１の長手方向軸Ｌ１との間の第１の傾きＢ１で第１のアーム３０に当接するように適合される。図２ａを参照のこと。
【００６９】
第３のアーム３４は、第３の長手方向軸Ｌ３に沿って延在する。第３の回転Ｒ３は、第３の長手方向軸Ｌ３が基本的に第２の長手方向軸Ｌ２と平行になったとき、または第２の長手方向軸Ｌ２に対して最高で第３の角度Ｃ３まで配向されたとき、開始するように適合される（図３および図４を参照のこと）。
【００７０】
第２の回転Ｒ２は、第３の長手方向軸Ｌ３が第２の長手方向軸Ｌ２に対して第４の角度Ｃ４で配向されたとき、開始されるように適合され、第４の角度Ｃ４は、第３の角度Ｃ３より大きい（図４を参照のこと）。第４の角度Ｃ４は、第３の角度Ｃ３より大きい。
【００７１】
第３のアーム３４は、第２の停止部材７２を備え、この第２の停止部材７２は、第３の回転Ｒ３を、第３の長手方向軸Ｌ３と第２の長手方向軸Ｌ２との間の第２の傾きＢ２で停止するように適合される。
【００７２】
第２の停止部材７２は、第３のアーム３４の第３の長手方向軸Ｌ３から離れるように突出する。第２の停止部材７２は、第２の側面部７３を備え、この第２の側面部７３は、第２のアーム３２に、第３の長手方向軸Ｌ３と第２の長手方向軸Ｌ２との間の第２の傾きＢ２で当接するように適合される。図４を参照のこと。
【００７３】
図２ａでは、第１の第２の長手方向軸Ｌ１、第２の長手方向軸Ｌ２、および第３の長手方向軸Ｌ３は、基本的に平行である。したがって、枢動アーム１２ａは、第２の部分９が第１の方向になるように配置される。
【００７４】
図２ｂでは、第１の第２の長手方向軸Ｌ１、第２の長手方向軸Ｌ２、および第３の長手方向軸Ｌ３は、平行ではなく、第２の回転Ｒ２および第３の回転Ｒ３は、それぞれ第１の傾きＢ１、および第２の傾きＢ２で停止する。したがって、枢動アーム１２ａは、第２の部分９が基本的に第３の方向となるように配置される。
【００７５】
図２ｃでは、枢動アーム１２ａおよびさらなる枢動軸１２ｂアームは、上面図から示される。２つの枢動アーム１２ａ、１２ｂは、接続部材６０によって接続される。
【００７６】
モータユニット２７は、第２の部分９の下面６３に取り付けられる。第１の方向から、モータユニット２７は、枢動アーム１２ａ、１２ｂの各々の外側部分２２を引くように適合され、これにより第３の回転Ｒ３が誘導され、この第３の回転Ｒ３は、第２の部分９を、第１の方向から第２の方向へ回転する。
【００７７】
第２の方向から、モータユニット２７は、枢動アーム１２ａ、１２ｂの各々の外側部分２２を引くように適合され、これにより第２の回転Ｒ２が誘導され、この第２の回転Ｒ２は、第２の部分９を、第２の方向から第３の方向へ回転させる。
【００７８】
第３の方向から、モータユニット２７は、枢動アーム１２ａ、１２ｂの各々の外側部分２２を引くように適合され、これにより、第１の回転Ｒ１が誘導され、この第１の回転Ｒ１は、第２の部分９を、第３の方向から第４の方向へ回転する。
【００７９】
図３〜図６は、図１の家具装置の側面図を示し、第２の部分９は、それぞれ第１の方向、第２の方向、第３の方向、および第４の方向、に配設される。図４〜図６では、枢動アーム１２ａ、１２ｂは、実線および破線で示される。実線は、図における枢動アーム１２ａ、１２ｂの実際の位置を表す。図４〜図６における破線は、枢動アーム１２ａ、１２ｂの前の図における位置を表す。
【００８０】
実線の枢動アーム１２ａ、１２ｂと破線の枢動アーム１２ａ、１２ｂとの間の矢印は、第３の回転Ｒ３（図３から図４へのように）、第２の回転Ｒ２（図４から図５へのように）、および第１の回転Ｒ１（図５から図６へのように）によって、枢動アーム１２ａ、１２ｂのアーム３０、３２、３４がどのように回転するかを表す。
【００８１】
図３では、第２の部分９は、第１の方向に配向される。枢動機構２５は、枢動アーム１２の外側部分２２に作用するように適合され、これにより第３の回転Ｒ３は誘導される。第３の回転Ｒ３は、第２の部分９を第１の方向から第２の方向へ回転する。
【００８２】
図４では、第２の部分９は、第２の方向に配向される。第２の方向では、第２の部分９は、第１の平面Ｐ１に対して第１の角度Ａ１で傾く。枢動機構２５は、第２の方向から、枢動アーム１２の外側部分２２に作用するように適合され、これにより第２の回転Ｒ２は誘導される。第２の回転Ｒ２は、第２の部分９を第２の方向から第３の方向へ回転する。
【００８３】
図５では、家具装置１は、第３の方向に配向される。第３の方向では、第２の部分９は、第１の平面Ｐ１に対して第２の角度Ａ２で傾き、第２の角度Ａ２は第１の角度Ａ１より大きい。枢動機構２５は、第３の方向から、枢動アーム１２の外側部分２２に作用するように適合され、これにより第１の回転Ｒ１は、第２の部分９を第３の方向から第４の方向へ回転する。
【００８４】
図６では、家具装置１は、第４の方向に配向される。第４の方向では、第２の部分９は、第１の平面Ｐ１に対して第３の角度Ａ３で傾き、第３の角度Ａ３は、第２の角度Ａ２より大きい。本発明の実施形態では、第２の部分は、枢動されるように適合され、これにより第３の角度Ａ３は、９０度になる。
【００８５】
本発明は、開示された実施形態に限定されないが、以下の特許請求の範囲の範囲内で、変形および改造されてもよい。
【図１ａ】
2013545551.tif 000003
【図１ｂ】
2013545551.tif 000004
【図２ａ】
2013545551.tif 000005
【図２ｂ】
2013545551.tif 000006
【図２ｃ】
2013545551.tif 000007
【図３】
2013545551.tif 000008
【図４】
2013545551.tif 000009
【図５】
2013545551.tif 000010
【図６】
2013545551.tif 000011
【国際調査報告】
2013545551.tif 000012
2013545551.tif 000013